(57)【要約】      （修正有）【課題】自ら発光することができるようにし、自動車が走行しない道路や街灯のない道路等であっても、着用者の存在を明示できるようにするとともに、容易に衣服に取付けることができるワッペンを提供する。【解決手段】衣服に付設されるシート状のもので、シリコーンゴムに蓄光性顔料を含有させて所要形状に形成した。厚さｔを、０．５ｍｍ≦ｔ≦２．０ｍｍにし、外周縁１のやや内側に外周縁１に沿って縫合用の小孔２を列設し、一方及び/または他方の表面に、文字，記号，図形及び模様のうちの少なくとも一種からなる表示３を付した。【選択図】図１
0003200449.tif 000002
【実用新案登録請求の範囲】
【請求項１】
衣服に付設されるシート状のワッペンにおいて、
シリコーンゴムに蓄光性顔料を含有させて所要形状に形成したことを特徴とするワッペン。
【請求項２】
厚さｔを、０．５ｍｍ≦ｔ≦２．０ｍｍにしたことを特徴とする請求項１記載のワッペン。
【請求項３】
外周縁のやや内側に該外周縁に沿って縫合用の小孔を列設したことを特徴とする請求項２記載のワッペン。
【請求項４】
一方及び/または他方の表面に、文字，記号，図形及び模様のうちの少なくとも一種からなる表示を付したことを特徴とする請求項１乃至３何れかに記載のワッペン。
【請求項５】
上記表示は、認知症に係る内容であることを特徴とする請求項４記載のワッペン。
【請求項６】
矩形状に形成したことを特徴とする請求項１乃至５何れかに記載のワッペン。
【請求項７】
上記請求項１乃至６何れかに記載のワッペンを複数備えたワッペン集合シートであって、
シリコーンゴムに蓄光性顔料を含有させて所要形状に形成したシート状の基板に、各ワッペンを画成するとともに、画成されたワッペンとワッペンに隣接する不要部及び／または他のワッペンとの間に架設される切断可能な架橋片を残して、各ワッペンの外周縁を形成する切込みを設け、各ワッペンを夫々上記架橋片の切断により分離可能にしたことを特徴とするワッペン集合シート。
【請求項８】
互いに大きさの異なるワッペンのグループを複数グループ設けたことを特徴とする請求項７記載のワッペン集合シート。
【請求項９】
上記基板の外周部を上記不要部である枠状の外側枠部として構成し、該外側枠部の内部に各ワッペンを上記架橋片を介して設けたことを特徴とする請求項７または８記載のワッペン集合シート。
【請求項１０】
上記外側枠部の内部に該外側枠部に連設されて該外側枠部とともに複数の枠を構成する上記不要部としての帯状部を設け、上記各枠内に上記ワッペンを上記架橋片を介して設けたことを特徴とする請求項９記載のワッペン集合シート。
【請求項１１】
上記各枠の大きさを異ならせ、各枠内に他の枠内のワッペンとは互いに大きさの異なるワッペンを複数設けたことを特徴とする請求項１０記載のワッペン集合シート。
【考案の詳細な説明】
【技術分野】
【０００１】
本考案は、衣服等に縫合する等して付設され夜間に容易に視認できるシート状のワッペン及びこれを切離して使用できるように複数集合させたワッペン集合シートに関する。
【背景技術】
【０００２】
従来から、光を反射する反射剤を塗着してなる光反射テープを、衣服の所望の個所に縫合により付帯させ、夜間自動車等のヘッドライトや街灯等の光をこの光反射テープに反射させて、衣服の着用者の存在を明示し、交通事故等から護ることができるようにする技術が知られている（例えば、特開平６−１０８３５３号公報（特許文献１）等に掲載）。
【先行技術文献】
【特許文献】
【０００３】
【特許文献１】特開平６−１０８３５３号公報
【考案の概要】
【考案が解決しようとする課題】
【０００４】
ところで、近年、増加傾向にある認知症患者等が夜間に徘徊することがしばしばあり、帰宅困難となって行方不明になるケースも増えつつある。そのため、上記従来の光反射テープを衣服に縫着して、徘徊時の発見を早めて、通報を迅速に行うことが考えられる。しかしながら、上記従来の光反射テープにあっては、自動車のヘッドライト等の光が照射されてから光るので、自動車が走行しない道路や街灯のない道路等では光らないことから、交通事故は起こりにくいとしても、発見の用に供することができにくいという問題があった。
【０００５】
本考案はこのような問題点に鑑みてなされたもので、自ら発光することができるようにし、自動車が走行しない道路や街灯のない道路等であっても、着用者の存在を明示できるようにしたワッペン及びワッペン集合シートを提供することを目的とする。また、必要に応じ、ワッペンを容易に衣服に取付けることができる点も考慮した。
【課題を解決するための手段】
【０００６】
このような目的を達成するための本考案のワッペンは、衣服に付設されるシート状のワッペンにおいて、シリコーンゴムに蓄光性顔料を含有させて所要形状に形成した構成としている。これにより、ワッペンを衣服に付設するときは、例えば、衣服の所望の箇所にワッペンの外周を縫合して付設する。上着、Ｔシャツ、インナー下着、パジャマなどどのような衣服でも良い。例えば、近年、増加傾向にある認知症患者の場合には、例えば、夜間に着るパジャマなどで、介護者の家族が患者本人の歩く癖や体形に合わせ外部から目立ちやすい場所に縫合して付設することができる。この場合、ワッペンはシリコーンゴムのシートで形成され、柔らかいので、縫合を容易に行うことができる。また、シリコーンゴムの柔らかい素材なので違和感なく生活でき、洗濯もできる。
【０００７】
これにより、夜間において、ワッペンを付設した衣服を着衣して用いる。ワッペンは蓄光性顔料を含有しており、蓄光性素材は昼間の光を吸収して夜間に一定時間光り続けることができる。そのため、夜間において、自ら発光することから、衣服の着用者の存在を容易に明示することができ、交通事故等から護ることができるようになる。特に、自動車が走行しない道路や街灯のない道路等では、従来の反射型では発見の用に供することができにくかったが、本考案では、ワッペンは自ら発光するので、夜間において、衣服の着用者の存在を容易に明示することができ、例えば、近年、増加傾向にある認知症患者等が夜間に徘徊することがしばしばあるが、その徘徊時の発見を早めて、通報を迅速に行うことができるようになる。
【０００８】
そして、必要に応じ、厚さｔを、０．５ｍｍ≦ｔ≦２．０ｍｍにした構成としている。衣服にフィットし易く、付設をより一層容易に行うことができる。
【０００９】
また、必要に応じ、外周縁のやや内側に該外周縁に沿って縫合用の小孔を列設した構成としている。この小孔に針及び糸を引き通して衣服に縫合することができるので、逐一、針をシートに差し込むことをしなくても良く、より一層衣服への付設を容易に行うことができるようになる。
【００１０】
更に、必要に応じ、一方及び/または他方の表面に、文字，記号，図形及び模様のうちの少なくとも一種からなる表示を付した構成としている。表示を着用者の情報などの内容にしておけば、表示を見て着用者についての情報を知ることができる。
この場合、上記表示は、認知症に係る内容であることが有効である。発見者は着用者の様子だけではなく、表示の内容を見て認知症患者であることを知ることができるので、健常者との違いを認識することができ、警察等への通報を速やかに行うことができる。
更にまた、必要に応じ、矩形状に形成している。形成が容易になるとともに、表面に表示を付す場合に、表示し易くなる。
【００１１】
また、本考案の目的を達成するためのワッペン集合シートは、上記のワッペンを複数備えたワッペン集合シートであって、シリコーンゴムに蓄光性顔料を含有させて所要形状に形成したシート状の基板に、各ワッペンを画成するとともに、画成されたワッペンとワッペンに隣接する不要部及び／または他のワッペンとの間に架設される切断可能な架橋片を残して、各ワッペンの外周縁を形成する切込みを設け、各ワッペンを夫々上記架橋片の切断により分離可能にした構成としている。
【００１２】
これにより、ワッペン集合シートには、複数のワッペンが集合しているので、複数枚のワッペンの保管が確実になり、また、販売等での包装や搬送も容易になる。そして、ワッペンを衣服に付設するときは、所望のワッペンを周囲の架橋片を切断することにより分離する。架橋片の切断だけでワッペンを分離できるので、分離作業が容易になる。
【００１３】
そして、必要に応じ、互いに大きさの異なるワッペンのグループを複数グループ設けた構成としている。例えば、大、中、小のワッペンを用意すれば、衣服に合わせた大きさのワッペンを用いることができる。
【００１４】
また、必要に応じ、上記基板の外周部を上記不要部である枠状の外側枠部として構成し、該外側枠部の内部に各ワッペンを上記架橋片を介して設けた構成としている。外側枠部内にワッペンを連設したので、ワッペンの保持が確実になる。
【００１５】
更に、必要に応じ、上記外側枠部の内部に該外側枠部に連設されて該外側枠部とともに複数の枠を構成する上記不要部としての帯状部を設け、上記各枠内に上記ワッペンを上記架橋片を介して設けた構成としている。より一層、ワッペンの保持が確実になる。
【００１６】
この場合、必要に応じ、上記各枠の大きさを異ならせ、各枠内に他の枠内のワッペンとは互いに大きさの異なるワッペンを複数設けた構成としている。グループ毎の保持にすることができ、製造を容易にして、保持を確実にし、ワッペンの選択も容易になる。
【考案の効果】
【００１７】
本考案によれば、ワッペンはシリコーンゴムのシートで形成され、柔らかいので、衣服への縫合を容易に行うことができる。また、シリコーンゴムの柔らかい素材なので違和感なく生活でき、洗濯もできる。更に、夜間において、ワッペンを付設した衣服を着衣して用いる際、ワッペンは蓄光性顔料を含有しているので、自ら発光することから、衣服の着用者の存在を容易に明示することができ、交通事故等から護ることができるようになる。特に、自動車が走行しない道路や街灯のない道路等では、従来の反射型では発見の用に供することができにくかったが、本考案では、ワッペンは自ら発光するので、夜間において、衣服の着用者の存在を容易に明示することができ、例えば、近年、増加傾向にある認知症患者等が夜間に徘徊することがしばしばあるが、その徘徊時の発見を早めて、通報を迅速に行うことができるようになる。
【図面の簡単な説明】
【００１８】
【図１】本考案の実施の形態に係るワッペンを示し、（ａ）は平面図、（ｂ）は（ａ）中Ａ−Ａ線断面図である。
【図２】本考案の実施の形態に係るワッペン集合シート示し、（ａ）は平面図、（ｂ）は（ａ）中Ｂ−Ｂ線断面図である。
【図３】本考案の実施の形態に係るワッペンを衣服に付設した例を示す図である。
【考案を実施するための形態】
【００１９】
以下、添付図面に基づいて、本考案の実施の形態に係るワッペン及びこれを備えたワッペン集合シートについて詳細に説明する。
図１乃至図３には、本考案の実施の形態に係るワッペンＷを示し、図２には本考案の実施の形態に係るワッペン集合シートＳを示している。このワッペンＷは、衣服Ｃに付設されるシート状のものであり、シリコーンゴムに蓄光性顔料を含有させて所要形状（実施の形態では矩形状）に形成されている。シリコーンゴムは、主鎖がシロキサン結合で構成され、側鎖にメチル基，フェニル基，ビニル基などの有機置換基をもった線状重合体から成る周知の合成ゴムである。耐熱，耐寒，耐水，耐候などすぐれた性質をもつ。蓄光性顔料としては、例えば、硫化亜鉛，アルミン酸ストロンチウム，珪酸亜鉛，硫化亜鉛カドミウム，硫化カルシウム，硫化ストロンチウム，タングステン酸カルシウム，燐光性硫化亜鉛，ヘキサ硫化亜鉛等の無機顔料，ルモゲンＬイエロー等の有機顔料を挙げることができる。また必要に応じ、種々の着色無機顔料を添加し、種々の色付きのシートにすることができる。蓄光性顔料の含有量は、例えば、２５〜３０重量部とする等適宜に定めて良い。
【００２０】
ワッペンＷの厚さｔは、０．５ｍｍ≦ｔ≦２．０ｍｍに設定されている。また、ワッペンＷにおいて、その外周縁１のやや内側には、外周縁１に沿って縫合用の小孔２が所定間隔で列設されている。更に、一方及び/または他方の表面に、文字，記号，図形及び模様のうちの少なくとも一種からなる表示３が付されている。図１の例では、表示３は、認知症に係る内容であり、着衣者が「認知症」であることを知らしめることができるようにしている。また、住所や電話番号など、連絡先を表示することができる。表示３は予め印刷され、あるいは、ペンなどで描かれる。尚、図２においては、表示３の図示を省略している。
【００２１】
次に、本考案の実施の形態に係るワッペン集合シートＳについて説明する。図２に示すように、ワッペン集合シートＳは、ワッペンＷを複数備えており、シリコーンゴムに蓄光性顔料を含有させて所要形状に形成したシート状の矩形状の基板１０に、各ワッペンＷを画成するとともに、画成されたワッペンＷとワッペンＷに隣接する不要部及び／または他のワッペンＷとの間に架設される切断可能な架橋片１１を残して、各ワッペンＷの外周縁１を形成する切込み１２を設け、各ワッペンＷを夫々架橋片１１の切断により分離可能にしている。実施の形態では、切込み１２は例えば０．５ｍｍ〜２ｍｍ程度の所定幅を有している。基板１０は、例えば、Ａ４サイズの大きさに設定される。
【００２２】
また、互いに大きさの異なるワッペンＷのグループが複数グループ設けられている。実施の形態では、大きな３つの矩形状のワッペンＷが連設されたグループＧ１と、中程度の大きさの２つの矩形状のワッペンＷが連設されたグループＧ２と、小さな８つの矩形状のワッペンＷが連設されたグループＧ３とを備えている。更にまた、基板１０の外周部は、不要部である矩形枠状の外側枠部１３として構成されており、外側枠部１３の内部に各ワッペンＷが架橋片１１を介して設けられている。詳しくは、外側枠部１３の内部に、外側枠部１３に連設されてこの外側枠部１３とともに複数の枠１５，１６を構成する不要部としての帯状部１４が設けられている。この帯状部１４は、図２中、外側枠部１３の互いに対向する上下の２辺間に架設され、その各枠１５，１６の大きさは異なっており、各枠１５，１６内に、夫々、互いに大きさの異なるワッペンＷが複数設けられている。即ち、各枠１５，１６内に、ワッペンＷが架橋片１１を介して設けられている。図２中、左側の枠１５内には、大きな３つの矩形状のワッペンＷのグループＧ１が設けられ、図２中右側の枠１６内には、中程度の大きさの２つの矩形状のワッペンＷのグループＧ２と小さな８つの矩形状のワッペンＷのグループＧ３とが連設されて設けられている。
【００２３】
従って、このワッペン集合シートＳにおいては、複数のワッペンＷが集合しているので、複数枚のワッペンＷの保管が確実になり、また、販売等での包装や搬送も容易になる。また、ワッペンＷは外側枠部１３内に設けられ、しかも、帯状部１４によって仕切られた２つの枠１５，１６内において、ワッペンＷを連設したので、ワッペンＷの保持が確実になる。また、各枠１５，１６の大きさを異ならせ、各枠１５，１６内に、夫々、互いに大きさの異なるワッペンＷを複数設けたので、グループ毎の保持にすることができ、製造を容易にして、保持を確実にし、ワッペンＷの選択も容易になる。
【００２４】
そして、ワッペンＷを衣服Ｃに付設するときは、所望のワッペンＷを周囲の架橋片１１を切断することにより分離する。架橋片１１の切断だけでワッペンＷを分離できるので、分離作業が容易になる。また、互いに大きさの異なるワッペンＷのグループが複数グループ設けられ、実施の形態では、大、中、小のワッペンＷが用意されているので、衣服Ｃに合わせた大きさのワッペンＷを用いることができる。
【００２５】
選択したワッペンＷは、図３に示すように、衣服Ｃの所望の箇所に、その外周を縫合して衣服Ｃに付設する。衣服Ｃとしては、上着、Ｔシャツ、インナー下着、パジャマなどどのような衣服Ｃでも良い。例えば、近年、増加傾向にある認知症患者の場合には、例えば、夜間に着るパジャマなどで、介護者の家族が患者本人の歩く癖や体形に合わせ外部から目立ちやすい場所に縫合して付設することができる。この場合、ワッペンＷはシリコーンゴムのシートで形成され、柔らかいので、縫合を容易に行うことができる。特に、厚さｔが、０．５ｍｍ≦ｔ≦２．０ｍｍに設定されているので、衣服Ｃにフィットし易く、付設をより一層容易に行うことができる。また、外周縁１のやや内側に縫合用の小孔２が列設されているので、この小孔２に針及び糸を引き通して衣服Ｃに縫合することができ、逐一、針をシートに差し込むことをしなくても良く、より一層衣服Ｃへの付設を容易に行うことができるようになる。更に、ワッペンＷは、シリコーンゴムの柔らかい素材なので、付設した状態では、違和感なく生活でき、洗濯もできる。上着など縫い方次第ではポケットにもなり、その中には携帯電話や小型のＧＰＳ、名前の入った住所録など工夫次第で多用できる。ワッペン集合シートＳは無駄なく使え、残った不要部は自転車や靴のまわり等、種々のものに接着して使うことができる。
【００２６】
そして、夜間において、ワッペンＷを付設した衣服Ｃを着衣して用いる。ワッペンＷは蓄光性顔料を含有しており、蓄光性素材は昼間の光を吸収して夜間に一定時間光り続けることができる。そのため、夜間において、自ら発光することから、衣服Ｃの着用者の存在を容易に明示することができ、交通事故等から護ることができるようになる。特に、自動車が走行しない道路や街灯のない道路等では、従来の反射型では発見の用に供することができにくかったが、本考案では、ワッペンＷは自ら発光するので、夜間において、衣服Ｃの着用者の存在を容易に明示することができ、例えば、近年、増加傾向にある認知症患者等が夜間に徘徊することがしばしばあるが、その徘徊時の発見を早めて、通報を迅速に行うことができるようになる。
【００２７】
この場合、ワッペンＷには、一方及び/または他方の表面に、文字，記号，図形及び模様のうちの少なくとも一種からなる表示３が付されているので、表示３を着用者の情報などの内容にしておけば、表示３を見て着用者についての情報を知ることができる。実施の形態では、表示３は、認知症に係る内容であるので、発見者は着用者の様子だけではなく、表示３の内容を見て認知症患者であることを知ることができることから、健常者との違いを認識することができ、警察等への通報を速やかに行うことができる。
【００２８】
尚、上記実施の形態においては、架橋片１１は、例えばミシン目により形成しても良く適宜変更して差支えない。また、ワッペンＷの大きさ，形状，数は、上述したものに限定されるものではなく、例えば、円形や六角形にする等、適宜変更して良いことは勿論である。
【産業上の利用可能性】
【００２９】
近年、認知症患者の増加が見込まれこれから１０年間で認知症予備軍を含めると７００万人ともいわれている。各地方自治団体が声掛け運動など、行われているが、初期段階では一般の人と区別や見分けがつけられにくい。認知症の症状は徐々に進行する為、初期段階の方が今まで普通に散歩していて家路にたどり着く前に迷子になり帰宅困難となって行方不明になるケースも増えつつある。よって、本考案のワッペンが普及すれば、健常者との違いの目印として用いることができ、健常者の目撃情報を有効利用でき、警察等への通報も速やかに行うことができ、極めて有用になる。
【符号の説明】
【００３０】
Ｗ  ワッペン
Ｓ  ワッペン集合シート
Ｃ  衣服
１  外周縁
２  小孔
３  表示
１０  基板
１１  架橋片
１２  切込み
１３  外側枠部
１４  帯状部
１５，１６  枠
【図１】
0003200449.tif 000003
【図２】
0003200449.tif 000004
【図３】
0003200449.tif 000005